(57)【特許請求の範囲】
【請求項１】
防水扉Ｈと、防水扉Ｈの背部に設けられて当該防水扉Ｈを開閉駆動する駆動手段Ｐと、駆動手段Ｐに連結した流体供給管路１と、流体供給管路１に接続した流体供給源Ｂと、流体供給回路１の途中に設けた手動弁３及び開閉弁Ａと、上記駆動手段Ｐと上記開閉弁Ａとの間において上記流体供給管路１に接続した流体排出管路２と、この流体排出管路２の途中に開閉自在に設けた排出弁４とからなる防水扉の開閉装置において、上記開閉弁Ａを冠水時に感水して自動的にガスを供給するガス圧供給装置５と、このガス圧供給装置５からのガス圧で上記流体供給管路１を開く弁装置６とから構成し、ガス圧供給装置５をハウジング７と、ハウジング７に取り付けたガスボンベ８と、ハウジング７に形成してガスボンベ８の出口と弁装置６とを接続する挿通孔１０と、上記ガスボンベ８の出口に対向する撃針９と、この撃針９に一端を対向して設けた回転自在なレバー１１と、レバー１１の他端に対抗して設けた移動自在なプッシュロッド１２と、水に浸ると発動して上記プッシュロッド１２を撃針９が作動する方向に附勢する発動装置１３とで構成し、上記弁装置６を流体供給管路１の途中に設けた中空なハウジング１４と、ハウジング１４内中空部２５の途中に設けた隔壁１７と、この隔壁１７に当接する方向に常時附勢されると共に上記ガス圧供給装置５からのガス圧で押圧された時上記隔壁１７から離れて上記中空部２５を上記流体供給管路１に開口させる弁体Ｖとで構成していることを特徴する防水扉の開閉装置。
【請求項２】
弁装置６を筒状のハウジング１４の上下両端にキャップ１５，１６を設け、このハウジング１４内に上下一対のベロー１８、１９を設けてハウジング１４内の中空部２５とキャップ１５，１６内の空間２４，２６とを隔成し、上記各ベロー１８、１９の中間同士を連結体２１で結合させ、上方のベロー１８に隔壁１７の端部に開閉自在に当接するポペット型の弁体Ｖを設け、上方のベロー１８とキャップ１５との間に弁体Ｖを隔壁１７に当接させる方向に附勢するスプリング２０を介在させ、更に下方のキャップ１６にガス圧供給装置５における挿入孔１０を接続させるアダプタ２２を取り付け、ガス圧供給装置５からガス圧が供給された時このガス圧を下方のベロー１９に作用させながら上下のベロー１８，１９を押し上げて弁体Ｖを開くようにしている請求項１の防水扉の開閉装置。
【請求項３】
流体供給源Ｂがガスボンベからなり、駆動手段が袋体、エアシリンダ又はエアダンパのいずれかからなる請求項１又は２の防水扉の開閉装置。
【発明の詳細な説明】
【技術分野】
【０００１】
本発明は、建物の出入口、その他の地下駐車場、地下街、地下鉄駅等の構造物の路上出入口に取り付けて、豪雨等による出入口への雨水の浸入を防止する防水扉、あるいは、河川に取り付ける堰または海岸堤防に設けて防潮扉として利用される防水扉の開閉装置に関するものである。
【背景技術】
【０００２】
最近、河川や海岸堤防の防潮扉のみならず、高層ビル等の出入口、地下鉄や地下街の出入口が道路や河川に近接して設けられている場合、雨天の時に出入口から雨水が吹き込んだり、浸入したりすることがあり、特に、豪雨等により地表の水かさが増すと、出入口に対し構築物の内部が低い場合に内部に水が浸入する虞があるので、水の浸入を防ぐために防水扉を設置するようにしている場合が多くなっている。
【０００３】
この防水扉として、例えば、特許文献１に開示されたものやこれに類似したものが開発され、実施されている。
【０００４】
特許文献１に示す、防水扉は扉体とその背部に設けた袋体とからなり、冠水したとき流体供給源から高圧流体を袋体に供給してこれを膨張させながら扉体を起立させて出入口を遮断するものである。
【０００５】
そして、この扉体の開閉装置は、袋体に流体供給管路を介して接続したコンプレッサ又は上下水道と、流体供給管路から分岐した流体排出管路と、各管路の途中に設けた手動操作バルブとおよび電気操作切替えバルブとを備えているものである。
【０００６】
そして、例えば、台風で雨水が溢れたり、河川が氾濫したような場合は遠隔的に電気制御して電気操作切替えバルブを開き、コンプレッサ又は上下水道から高圧空気又は高圧水を袋体に供給し、袋体の膨張に伴って扉体を起立させて出入口を遮断するようにしている。
【特許文献１】特開２００１−１３２３２２号公報（図１、段落００１６、００１７参照）
【発明の開示】
【発明が解決しようとする課題】
【０００７】
しかしながら、上記従来の扉体の開閉装置では、管路に流体供給源としてコンプレッサ又は上下水道の一方又は両方を使用し、管路中に電気操作切替バルブを介在させているから、機能上欠陥があるわけでは無いが次のような不具合がある。
【０００８】
第１に、停電になったとき、電源の無い場所に設置した場合にはコンプレッサが作動せず又は電気操作切替バルブを開くことができず、更に上下水道が故障して断水状態になった場合には流体源たる水圧を利用できなくなる不具合がある。
【０００９】
第２に、構造物の出入口の近辺に水が浸入していることに気がつかず、コンプレッサ又は上下水道の利用をしない場合がある。
【００１０】
このように、コンプレッサや上下水道を使用できないと、結果的に出入口を扉体で遮断出来ず、構造物内が冠水してしまう不具合がある。
【００１１】
そこで本発明の目的は、電源や上下水道が無くても使用でき、また、管理者が気がつかずに水が浸入したときでも、この水に感水して自動的に管路を開いて扉体を閉じることができるようにした扉体の開閉装置を提供することである。
【課題を解決するための手段】
【００１２】
上記の目的を達成するため、本発明の手段は、防水扉Ｈと、防水扉Ｈの背部に設けられて当該防水扉Ｈを開閉駆動する駆動手段Ｐと、駆動手段Ｐに連結した流体供給管路１と、流体供給管路１に接続した流体供給源Ｂと、流体供給回路１の途中に設けた手動弁３及び開閉弁Ａと、上記駆動手段Ｐと上記開閉弁Ａとの間において上記流体供給管路１に接続した流体排出管路２と、この流体排出管路２の途中に開閉自在に設けた排出弁４とからなる防水扉の開閉装置において、上記開閉弁Ａを冠水時に感水して自動的にガスを供給するガス圧供給装置５と、このガス圧供給装置５からのガス圧で上記流体供給管路１を開く弁装置６とから構成し、ガス圧供給装置５をハウジング７と、ハウジング７に取り付けたガスボンベ８と、ハウジング７に形成してガスボンベ８の出口と弁装置６とを接続する挿通孔１０と、上記ガスボンベ８の出口に対向する撃針９と、この撃針９に一端を対向して設けた回転自在なレバー１１と、レバー１１の他端に対抗して設けた移動自在なプッシュロッド１２と、水に浸ると発動して上記プッシュロッド１２を撃針９が作動する方向に附勢する発動装置１３とで構成し、上記弁装置６を流体供給管路１の途中に設けた中空なハウジング１４と、ハウジング１４内中空部２５の途中に設けた隔壁１７と、この隔壁１７に当接する方向に常時附勢されると共に上記ガス圧供給装置５からのガス圧で押圧された時上記隔壁１７から離れて上記中空部２５を上記流体供給管路１に開口させる弁体Ｖとで構成していることを特徴するものである。
【００１４】
更に、弁装置６を筒状のハウジング１４の上下両端にキャップ１５，１６を設け、このハウジング１４内に上下一対のベロー１８、１９を設けてハウジング１４内の中空部２５とキャップ１５，１６内の空間２４，２６とを隔成し、上記各ベロー１８、１９の中間同士を連結体２１で結合させ、上方のベロー１８に隔壁１７の端部に開閉自在に当接するポペット型の弁体Ｖを設け、上方のベロー１８とキャップ１５との間に弁体Ｖを隔壁１７に当接させる方向に附勢するスプリング２０を介在させ、更に下方のキャップ１６にガス圧供給装置５における挿入孔１０を接続させるアダプタ２２を取り付け、ガス圧供給装置５からガス圧が供給された時このガス圧を下方のベロー１９に作用させながら上下のベロー１８，１９を押し上げて弁体Ｖを開くようにしているのが好ましい。
【００１５】
上記の場合、流体供給源Ｂがガスボンベからなり、駆動手段が袋体、エアシリンダ又はエアダンパのいずれかからなるのが好ましい。
【発明の効果】
【００１６】
１．各請求項の発明によれば、開閉弁Aが冠水時に感水して自動的にガスを供給するガス圧供給装置５と、このガス圧供給装置５からのガス圧で上記流体供給管路１を開く弁装置６とから構成されているので、管理者の操作に関係なくガス圧供給装置５が水を感知すれば直ちに弁装置６が自動的に開き、自動的に扉体を閉じることができる。
【００１７】
２．流体供給源Bとしてガスボンベを使用しているので、電源を利用するコンプレッサが不要となり、断水が心配な上下水道の利用も必要がなくなる
３．電源が無かったり、停電になったり、断水になっても扉体Hの開閉が可能となる。
【００１８】
４．管理者が居なくても、あるいは管理者が水の浸入に気がつかなくても確実に水の浸入を防止できる。
【発明を実施するための最良の形態】
【００１９】
以下本発明の」実施の形態を図に基づいて説明する。
【００２０】
本発明は、ビル等の構造物の出入口、地下道や地下鉄の出入口に設けた扉体を自動的に開閉するものである。
【００２１】
すなわち、本発明の扉体の開閉装置の基本構造は、図１の回路に示すように、構造物の出入口、地下鉄の出入口、河川の堤防等に設けた防水扉Hと、防水扉Hの背部に設けられて当該防水扉を開閉駆動する駆動手段Pと、駆動手段Pに連結した流体供給管路１と、流体供給管路１に接続した流体供給源Ｂと、流体供給管路１の途中に設けた手動弁３及び開閉弁Ａと、上記駆動手段Ｂと上記開閉弁Ａとの間において上記流体供給回路１に接続した流体排出管路２と、この流体排出管路２の途中に開閉自在に設けた排出弁４とからなるもので、特に、上記開閉弁Ａが冠水時に感水して自動的にガスを供給するガス圧供給装置５と、このガス圧供給装置５からのガス圧で上記流体供給管路１を開く弁装置６とから構成されているものである。
【００２２】
流体供給源Ｂはガスボンベからなっているが、従来と同じくコンプレッサ等からなる高圧の気体供給装置、水ポンプや上下水道等の高圧液体供給装置であっても使用可能である。
【００２３】
駆動手段Ｐはガスボンベからの高圧ガスを受けて膨張したり、伸長して扉体Ｈを起立させる袋体、エアシリンダ又はエアダンパのいずれかを使用するのが好ましい。
【００２４】
流体供給管路１の途中には、防塵フィルター３０、圧力計１とパイロットバルブ３２からなる圧力調整Ｃを設けても良い。
【００２５】
同じく、流体排出管路２の途中には、排出弁４と共に逆支弁３３を設けておくのが好ましい。
【００２６】
上記の扉体の開閉装置によれば、従来と同じく、大雨、台風、洪水等により構築物の外部が冠水した状態またはこれに近い状態になって冠水したとき、開閉弁Ａにおけるガス圧供給装置５が感水してガス圧を弁装置６に送りこれを開く。
【００２７】
これにより、あらかじめ手動弁３を開いておくと、流体供給源Ｂから供給管路１を介して駆動装置に高圧流体を供給する。
【００２８】
これにより、駆動装置Ｐが膨張又は伸長して扉体Ｈを、例えば、ヒンジを介して回動させながら起立し、出入口を遮断し、構造物内に水が浸入するのを自動的に防止する。
【００２９】
その後、雨水の浸入の虞がなくなり、水位が低下し、扉体Ｈを元位置に戻すときは排出弁４を開放することで、駆動装置Ｐの内部の流体が輩出管路２より外部に排出される。
【００３０】
これにより、リターンスプリング等による駆動手段Ｐの自己復帰力、又は、他の復帰手段で扉体を元の状態に復帰させる。
【００３１】
ガス圧供給装置５は特開２００４−５８９７１号公報に開示されているような膨張装置を使用している。
【００３２】
これは、図３に示すように、ハウジング７と、ハウジング７に取り付けたガスボンベ８と、ハウジング７に形成してガスボンベ８の出口８ａと弁装置６（図１、図２参照）とを接続する挿通孔１０と、上記ガスボンベ８の出口に対向する撃針９と、この撃針９に一端を対向して設けた回転自在なレバー１１と、レバー１１の他端に対抗して設けた移動自在なプッシュロッド１２と、水に浸ると発動して上記プッシュロッド１２を撃針９が作動する方向に附勢する発動装置１３とで構成しされている。
【００３３】
これにより、水に浸ると発動装置１３は、瞬時に水に応動し、圧縮バネ１３ａの力でプッシュロッド１２を押し下げ、更に、シーソー型レバー１１を撃針１２をばねに抗して上方に摺動させてガスボンベ８を開口し、このガスボンベ８から噴出したガスは挿通孔２３から下記の弁装置６におけるダイヤフラム１９に作用して弁体Ｖを開く。
【００３４】
上記弁装置６は流体供給管路１の途中に設けた中空なハウジング１４と、ハウジング１４内中空部２５の途中に設けた隔壁１７と、この隔壁１７に当接する方向に常時附勢されると共に上記ガス供給装置５からのガス圧で押圧された時上記隔壁１７から離れて上記中空部２５を上記流体供給管路１に開口させる弁体Ｖとで構成されている。
【００３５】
より詳しく説明すると、
この弁装置６は図２に示すように、筒状のハウジング１４の上下両端にキャップ１５，１６を設け、このハウジング１４内に上下一対のベロー１８、１９を設けてハウジング１４内の中空部２５とキャップ１５，１６内の空間２４，２６とを隔成し、上記各ベロー１８、１９の中間同士を連結体２１で結合させ、上方のベロー１８に隔壁１７の端部に開閉自在に当接するポペット型の弁体Ｖを設け、上方のベロー１８とキャップ１５との間に弁体Ｖを隔壁１７に当接させる方向に附勢するスプリング２０を介在させ、更に下方のキャップ１６にガス圧供給装置５における挿入孔１０を接続させるアダプタ２２を取り付け、ガス圧供給装置５からガス圧が供給された時このガス圧を下方のベロー１９に作用させながら上下のベロー１８，１９を押し上げて弁体Ｖを開き、これにより左右の流体供給管路１，１が中空部２５を連通し、流体供給源Ｂからのガスが駆動手段Ｐに供給される。
【図面の簡単な説明】
【００３６】
【図１】本発明の一実施の形態に係わる扉体の開閉装置の回路図である。
【図２】開閉弁の縦断正面である。
【図３】ガス圧供給装置の縦断正面図である。
【符号の説明】
【００３７】
Ａ        開閉弁
B        流体供給源
Ｈ        防水扉
Ｐ        駆動手段
Ｖ        弁体
１        流体供給管路
２        流体排出管路２
３        手動弁
４        排出弁４
５        ガス圧供給装置５
６        弁装置６
７        ハウジング
８        ガスボンベ８
９        撃針
１０      挿通孔
１１      レバー
１２      プッシュロッド
１３      発動装置１３
１４      中空なハウジング
１７      隔壁
１５，１６  キャップ
１８，１９  ベロー
２０        スプリング
２１        連結体
２４，２６  空間
２５        隔壁
【図１】
0004997014.tif 000002
【図２】
0004997014.tif 000003
【図３】
0004997014.tif 000004